(57)【要約】【課題】容器内の錠剤を決まった数量だけ一度に取り出すことができる定量取り出し錠剤容器を提案する。【解決手段】錠剤を内容物として収容する容器本体１と、該容器本体１に収容された錠剤を計量する計量室３を有し該容器本体１の口頚部１ａに固定保持される中栓２と、該中栓２に被さって回動可能に抜け止め保持され該計量室３の上面開放端３ｆに排出口６を合致、連通させて該計量室３の錠剤を取り出すオーバーキャップ５とを備えた定量取り出し錠剤容器において、前記中栓２に、容器本体１の内部と前記計量室３とをつなぐ開口部４を設け、前記オーバーキャップ５に、その回動にて前記計量室３の上面開放端３ｆの直上を通過させて該計量室３の余分な錠剤を該開口部４を経て容器本体１の内部へと掻き落とす少なくとも１つの縦リブ７と、該オーバーキャップ５とともに回動可能で、かつ該排出口６が該計量室３の上端開放端３ｆに合致、連通した状態で該開口部４を閉塞する遮閉壁８を設ける。【選択図】図１
2015067308.tif 000002
【特許請求の範囲】
【請求項１】
錠剤を内容物として収容する容器本体と、該容器本体に収容された錠剤を計量する計量室を有し該容器本体の口頚部に固定保持される中栓と、該中栓に被さって回動可能に抜け止め保持され該計量室の上面開放端に排出口を合致、連通させて該計量室の錠剤を取り出すオーバーキャップとを備えた定量取り出し錠剤容器であって、
前記中栓に、容器本体の内部と前記計量室とをつなぐ開口部を設け、
前記オーバーキャップに、その回動にて前記計量室の上面開放端の直上を通過させて該計量室の余分な錠剤を該開口部を経て容器本体の内部へと掻き落とす少なくとも１つの縦リブと、該オーバーキャップとともに回動可能で、かつ該排出口が該計量室の上面開放端に合致、連通した状態にて該開口部を閉塞する遮閉壁を設けたことを特徴とする定量取り出し錠剤容器。
【請求項２】
前記計量室は、貯留された錠剤に前記縦リブによる押込み力が付加された際に弾性変形して該押込み力を緩和する底壁を有することを特徴とする請求項１に記載した定量取り出し錠剤容器。
【請求項３】
前記弾性変形が、ばね部材または軟質部材によるものであることを特徴とする請求項２に記載した定量取り出し錠剤容器。
【発明の詳細な説明】
【技術分野】
【０００１】
本発明は、容器内に収納された錠剤を決まった数量だけ一度に取り出すことができる、定量取り出し錠剤容器に関するものである。
【背景技術】
【０００２】
粉末状の薬剤やサプリメントあるいは清涼菓子等は、その管理、取扱いを容易ならしめるため、錠剤に加工されることが多く、いずれのものも開口部を取り出し口とするガラス製あるいは合成樹脂製の容器に詰められて市販されているのが普通である。
【０００３】
ところで、この種の容器は、容器を傾けて開口部から錠剤を取り出すものであることから錠剤が必要以上に取り出される場合があり、余分に取り出された錠剤については手指を使って一旦容器内へ戻すこともしばしばであって、衛生的にも好ましいとは言えないものであった。
【０００４】
このような不具合の解消を図った先行技術として、例えば、特許文献１には、錠剤を収容する容器の開口部に差し込まれかつ錠剤が一列になって通過する通路孔を備えた中栓と、この中栓の上部に覆い被さりかつ中栓に対して一定の範囲で軸線方向に移動可能な冠体と、この冠体を中栓から突出するように反力を生じせしめる付勢部材とで構成された錠剤容器が提案されている。
【０００５】
かかる錠剤容器は、中栓の上面に、径方向に弾性変形可能な板状の可撓片と、この可撓片の先端から内周側に突出して錠剤をせき止める閉止体を有し通路孔を取り囲むように配置されかつ上方に突出する複数の弁体を設ける一方、冠体の上面を覆う天板に出口孔を設け、この出口孔の下端の外周に冠体を中栓に押し込んだ際、弁体を押し広げる押圧部を形成したものであり、これによれば、余分な錠剤の取り出しを防止することができるとされていた。
【０００６】
しかしながら、上記文献に開示されている錠剤容器にあっては、錠剤を一つずつ取り出すものであり、例えば複数の錠剤を一度に取り出す場合に、その取り出しが却って面倒であって使い勝手の面で新な不都合が生じている。
【先行技術文献】
【特許文献】
【０００７】
【特許文献１】特開２０１１−１３１９３１号公報
【発明の概要】
【発明が解決しようとする課題】
【０００８】
本発明の課題は、容器内に収容された錠剤を決まった数量だけ一度に取り出すことができる定量取り出し錠剤容器を提案するところにある。なお、本発明において定量取り出しとは、複数個の錠剤を取り出す場合のみならず、１つの錠剤を取り出す場合を含むものとする。
【課題を解決するための手段】
【０００９】
本発明は、錠剤を内容物として収容する容器本体と、該容器本体に収容された錠を計量する計量室を有し該容器本体の口頚部に固定保持される中栓と、該中栓に被さって回動可能に抜け止め保持され該計量室の上面開放端に排出口を合致、連通させて該計量室の錠剤を取り出すオーバーキャップとを備えた定量取り出し錠剤容器であって、前記中栓に、容器本体の内部と前記計量室とをつなぐ開口部を設け、前記オーバーキャップに、その回動にて前記計量室の上面開放端の直上を通過させて該計量室の余分な錠剤を該開口部を経て容器本体の内部へと掻き落とす少なくとも１つの縦リブと、該オーバーキャップとともに回動可能で、かつ該排出口が該計量室の上端開放端に合致、連通した状態にて該開口部を閉塞する遮閉壁を設けたことを特徴とする定量取り出し錠剤容器である。
【００１０】
上記の構成からなる錠剤容器においては、計量室の底壁を、弾性変形可能なもの、例えば、１つまたは２つ以上のばね部材あるいは軟質部材（スポンジ等）にて構成しておくのが好ましい。
【発明の効果】
【００１１】
上記の構成からなる本発明の錠剤容器によれば、該錠剤容器を、錠剤を内容物として収容する容器本体と、該容器本体に収容された錠剤を計量する計量室を有し該容器本体の口頚部に固定保持される中栓と、該中栓に被さって回動可能に抜け止め保持され該計量室の上面開放端に排出口を合致、連通させて該計量室の錠剤を取り出すオーバーキャップとを備えたもので構成し、中栓に、容器本体の内部と前記計量室とをつなぐ開口部を設け、オーバーキャップに、その回動にて計量室の上面開放端の直上を通過させて該計量室の余分な錠剤を該開口部を経て容器本体の内部へと掻き落とす少なくとも１つの縦リブと、該オーバーキャップとともに回動可能で、かつ該排出口が該計量室の上端開放端に合致、連通した状態にて該開口部を閉塞する遮閉壁を設けるようにしたため、容器内の錠剤を定まった数量だけ一度に取り出すことが可能となり、とくに、服用する数量が厳密に定められている薬剤を入れる容器に適用して有用である。
【００１２】
また、本発明の錠剤容器によれば、計量室の底壁を弾性変形可能なもので構成したため、縦リブで錠剤が計量室の底壁に向けて押し込まれたとしても底壁の弾性変形により錠剤に付加される押し込み力が緩和されるため、錠剤が破砕されることはない。
【００１３】
計量室の底壁を、ばね部材あるいはスポンジの如き軟質部材にて構成することにより構造の複雑化を伴うことなしに錠剤の破砕を回避することができる。
【図面の簡単な説明】
【００１４】
【図１】（ａ）（ｂ）は、本発明に従う錠剤容器の実施の形態を模式的に示した図であり、(ａ)は平面図、（ｂ）はその側面を一部断面（Ａ-Ａ断面）で示した図である。
【図２】図１に示した錠剤容器を構成する中栓の平面を示した図である。
【図３】図１に示した錠剤容器を構成するオーバーキャップの底面（裏側面）を示した図である。
【図４】（ａ）（ｂ）は、図１に示した錠剤容器の使用状態（錠剤の取り出し可能状態）を示した図であり、（ａ）は平面図、（ｂ）はその側面を一部断面（Ｂ-Ｂ断面）で示した図である。
【発明を実施するための形態】
【００１５】
以下、図面を用いて本発明をより具体的に説明する。
図１（ａ）（ｂ）は、本発明に従う定量取り出し錠剤容器を模式的に示した図であり、図２は、図１（ａ）（ｂ）に示した定量取り出し錠剤容器の中栓の平面を示した図であり、図３は、図１（ａ）(ｂ)に示した定量取り出し錠剤容器のオーバーキャップの底面（裏側面）を示した図である。ここに、上記定量取り出し錠剤容器は、合成樹脂を素材として用い、例えば、中栓およびオーバーキャップについては射出成形で製造することができ、また、容器本体についてはブロー成形（押出ブロー成形、２軸延伸ブロー成形等）で製造することできるが、材質についてはとくに限定されない。
【００１６】
図１〜３における符号１は、錠剤を内容物として収納する容器本体である。この容器本体１は、その頂部に容器本体１の内部つながる通路を形成する口頚部１ａが設けられたボトル型の容器として示してある。
【００１７】
また、２は、容器本体１の口頚部１ａに着脱自在に固定保持される中栓である。この中栓２は、容器本体１の口頚部１ａをその全周にわたって取り囲む周壁２ａと、この周壁２ａの上端に段部ｄを形成して一体連結する小径の環状体２ｂと、この環状体２ｂの上端に一体連結する天板２ｃから構成されている。
【００１８】
周壁２ａの内周壁には容器本体１の口頚部１ａの外周壁に設けられたねじ部に係合可能なねじ部が設けられており、これらのねじ部を相互に係合させることによって中栓２を容器本体１の口頚部１ａに着脱自在に固定保持することができるようになっている。なお、中栓２は、アンダーカットによる嵌合等、他の係合手段を適用してもよく、係合手段については図示のものに限定されることはない。また、中栓２は容器本体１の口頚部１ａに着脱不能に固定されていてもよい。
【００１９】
また、３は、中栓２の天板２ｃの一部分に凹所を設けて区画された計量室である。この計量室３は、環状体２ｂの一部分で形成された外周壁３ａと、この外周壁３ａから内方に向けて延びる一対の側壁３ｂ、３ｃ（図２参照）と、外周壁３ａおよび側壁３ｂ、３ｃの下端に一体的につながる底壁３ｄから構成されており、該外周壁３ａの対向位置に設けられたゲート３ｅを通して容器本体１内の錠剤を計量室３内に供給する一方、外周壁３ａおよび側壁３ｂ、３ｃの上端において形成される上面開放端３ｆを通して計量室３内で計量された錠剤を排出するようになっている。
【００２０】
また、４は、中栓２の天板２ｃの中央部に設けられた円形状をなす開口部である。この開口部４は、容器本体１の内部と計量室３とをゲート３ｅを介してつなぐ経路を形成するものであって、容器本体１内に収容された錠剤は、容器本体１を反転（倒立）させることにより開口部４、ゲート３ｅを通して計量室３に供給される。
【００２１】
また、５は、中栓２の上部（環状体２ｂ）に被さって回動可能、かつ引き抜け不能に保持されるオーバーキャップである。このオーバーキャップ５は、段部ｄの上に位置して中栓２の環状体２ｂを取り囲む周壁５ａと、この周壁５ａの上端部に一体連結して下向きに開放された凹所を形成する天板５ｂから構成されている。本発明では、オーバーキャップ５の周壁５ａの内周壁に環状凹部を設け、この環状凹部を、中栓２の環状体２ｂの外周壁に形成された環状凸部に嵌合させることでオーバーキャップ５を中栓２に対して回動可能、かつ引き抜け不能に保持しているが、他の係合手段を適用してもよい。また、オーバーキャップ５は、容器本体１の口頚部１ａに回動可能、かつ引き抜け不能に保持することもできる。
【００２２】
周壁５ａ、天板５ｂは、その径方向の中心部を境にしてほぼ半分（図１の左側半分）が中栓２の天板２ｃおよび計量室３の上面開放端３ｆの直上に位置する高さ、もしくは該上面開放端３ｆの直上に極僅かな隙間を隔てて位置する高さを有しており、残りの半分（図１の右側半分）が、中栓２の天板２ｃおよび計量室３の上面開放端３ｆから離反してその内側に内部空間Ｍを形成する高さを有している。
【００２３】
ここに、中栓２の天板２ｃおよび計量室３の上面開放端３ｆの直上に位置する部分を低天板５ｂ１で表示することとし、中栓２の天板２ｃおよび計量室３の上面開放端３ｆから離反してその内側に内部空間Ｍを形成する部分を高天板５ｂ２で表示することとする。なお、低天板５ｂ１と高天板５ｂ２とは傾斜天板５ｂ３を介してつながる。
【００２４】
また、６は、オーバーキャップ５の低天板５ｂ１に設けられ、計量室３の上面開放端３ｆと同等のサイズ、もしくはそれよりも小さなサイズからなる開口（窓孔）である。
【００２５】
この開口６は、計量室３で計量された錠剤を取り出す排出口を形成するものであり、該開口６が中栓２の天板２ｃの直上に位置している図１（ａ）（ｂ）の如き状態にあるときは閉塞しており、オーバーキャップ５を時計周り、あるいは反時計周りに回動させ、該開口６を計量室３の上面開放端３ｆに合致、連通させた状態で開放する（図４（ａ）（ｂ）参照）。
【００２６】
また、７は、高天板５ｂ２の裏面および傾斜天板５ｂ３の裏面に垂下保持され、内部空間Ｍに位置する２つで一組とした縦リブである。この縦リブ７は、その下端が計量室３の上面開放端３ｆの直上（若干の隙間を設けるようにして配置してもよい）に至る軸方向の長さを有しており、かつ計量室３を構成する側壁３ｂから側壁３ｃに至るまでの間隔をもったハ（またはＶ）の字状の配置になっている。上記の軸方向の長さとは、容器本体１の軸心に沿う向きと平行な向きの長さをいうものとする。
【００２７】
上記縦リブ７は、オーバーキャップ５を時計周りまたは反時計周りのいずれかに回動させて開口６を計量室３の上面開放端３ｆに合致、連通させるとき、計量室３に供給された余分な錠剤を開口部４を経て容器本体１の内部へと掻き落とす機能を有している。縦リブ７にて余分な錠剤が掻き落とされることにより計量室３内には一定数量の錠剤が残ることになる（定量化）。なお、縦リブ７は、余分な錠剤を容器本体１の内部へと掻き落とす他、例えば、直立姿勢になった偏平形状の錠剤を横倒しして、より確実な計量を行う機能も合わせもっている。
【００２８】
縦リブ７は、２つで一組なるものを例として示したが、その数は適宜変更可能であり、図示のものに限定されることはない。
【００２９】
８は、開口６が設けられた低天板５ｂ１の裏面に垂下保持され（傾斜天板５ｂ３の裏面にまで及んでいてもよい）、中栓２の天板２ｃに設けられた開口部４の内側に配置、もしくはその内側に極僅かな隙間を隔てて配置された湾曲形状をなす壁部である（図３参照）。この壁部８は開口部４の内周壁とほぼ同じ半径からなる円弧を有しており、その横向き開放端８ａは、開口６が閉じているとき、計量室３のゲート３ｅに指向しており、開口部４、ゲート３ｅを通して容器本体１内の錠剤を計量室３に供給することができるようになっている。
【００３０】
上記壁部８は、オーバーキャップ５の回動に帯同して回動する。そして開口６が計量室３の上面開放端３ｆに合致、連通した図４（ａ）（ｂ）に示す如き状態になったときに開口部４を閉塞させる遮閉壁を形成する。壁部８によって開口部４が閉塞すると計量室３のゲート３ｅと容器本体１内との連通も同時に断ち切られることになる。
【００３１】
さらに、９は、計量室３の底壁３ｄに３つ設けた例で示した３点式のばね部材である。このばね部材９は、計量室３の底部３ｄに形成した開孔の中心に位置する支持体９ａと、一端がこの支持体９ａの外縁の３箇所に連結し、他端が該開孔の内縁の３箇所に連結した３本のばね片９ｂから構成されている。
【００３２】
ばね部材９は上下に弾性変形することが可能になっており、計量室３に供給された余分な錠剤を縦リブ７により容器本体１の内部へと掻き戻すとき、計量されるべき錠剤が縦リブ７により計量室３の底壁３ｄに向けて押し込まれてもその弾性変形により、押し込みにかかる力を緩和して錠剤の破砕を防止する。
【００３３】
本発明の実施の形態では、３個の錠剤を一度に取り出すべく、ばね部材９を３点式のばね部材としてそれを３つ直列（周方向）に配列したものを例として示したが、計量する錠剤の数量が変わる場合には、計量室３のサイズを変更するとともにその数量に合わせた数のばね部材を設ければよい。ばね部材９は３点式のばね部材とは異なる他の形式のばね部材を用いてもかまわない。さらに、ばね部材９の代わりに底壁３ｄの全域、または対応部分（錠剤が載置される部分）をスポンジの如き軟質部材で構成することも可能であり(図示せず)、この場合、構造の簡素化を図ることができる。
【００３４】
上掲図１（ａ）（ｂ）に示した錠剤容器において容器本体１内の錠剤を計量して取り出すには、以下の手順に従えばよい。
【００３５】
まず、オーバーキャップ５を上掲図１に示した状態、すなわち、開口６を中栓２の天板２ｃ上に位置せしめて開口６を閉としておく。この状態では、開口部４と計量室３とは連通しているので、容器本体１を反転（倒立）させて容器本体１内の錠剤を開口部４、ゲート３ｅを通して計量室３内に供給する。
【００３６】
次いで、容器本体１を正位姿勢に戻したのちオーバーキャップ５を時計周りあるいは反時計周りに回動させて、図４に示す如く、開口６を計量室３の上面開放端３ｆに合致、連通させ、さらに容器本体１を再度反転（倒立）させる。
【００３７】
オーバーキャップ５を回動させて開口６が計量室３の上面開放端３ｆに合致、連通するまでの間、縦リブ７は、計量室３の上面開放端３ｆの直上を側壁３ｂから側壁３ｃに向けて通過、あるいは側壁３ｃから側壁３ｂへ向けて通過することとなり（オーバーキャップ５を時計周りに回動させるか反時計周りに回動させるかによって通過する向きは異なる）、このとき、計量室３に供給された錠剤のうち余分な錠剤は縦リブ７によってゲート３ｅ、開口部４を経て容器本体１内に掻き落とされるとともに開口部４が壁部８によって閉塞され、計量室３には一定数量の錠剤、すなわち、計量された錠剤のみが残されることになり、容器本体１の再度の反転（倒立）により計量室３内の錠剤が取り出されることになる。
【００３８】
計量する錠剤の数量は、計量室３の長さや幅、深さを適宜変更することによって調整すればよい。
【００３９】
本発明では、錠剤を正確に計量するため、縦リブ７の初期位置、すなわち、錠剤の計量前の位置は、計量室３の側壁３ｂ、３ｃと同じ位置としておくのがよく、そのため、中栓２とオーバーキャップ５の外表面には縦リブ７がどこに位置しているかを把握する指標等を設けておくのが好ましい。縦リブ７の位置は、開口６がどこにあるかで把握することも可能であり、開口６の位置を指標にして縦リブ７の位置決めを行うようにしてもよい。
【産業上の利用可能性】
【００４０】
本発明によれば、容器内の錠剤を決まった数量だけ一度に取り出し可能な定量取り出し容器を提供することができる。
【符号の説明】
【００４１】
１      容器本体
１ａ    口頚部
２      中栓
２ａ    周壁
２ｂ    環状体
２ｃ    天板
３      計量室
３ａ    外周壁
３ｂ    側壁
３ｃ    側壁
３ｄ    底壁
３ｅ    ゲート
３ｆ    上面開放端
４      開口部
５      オーバーキャップ
５ａ    周壁
５ｂ    天板
６      開口
７      縦リブ
８      壁部
８ａ    横向き開放端
９      ばね部材
９ａ    支持体
９ｂ    ばね片
Ｍ      内部空間
【図１】
2015067308.tif 000003
【図２】
2015067308.tif 000004
【図３】
2015067308.tif 000005
【図４】
2015067308.tif 000006